(57)【要約】【課題】オフフックしてから比較的短時間に選択信号を送信可能な外付けの電話機を通信回線に接続する際に、当該通信回線に生じ得る電流及び電圧の急激な変化を低減する通信装置及びその制御方法を提供する。【解決手段】本発明の通信装置は、通信回線に切断された状態にある外付けの電話機を通信回線に接続する際に、電話機のオフフックを検知すると、ＳＤＡＡを、電話機側よりも低いインピーダンスに設定し、当該ＳＤＡＡによる回線捕捉を開始する。その後、電話機から選択信号の送信が開始される前に、Ｈリレーを切り替えて電話機を通信回線に接続するとともに、ＳＤＡＡによる回線捕捉を終了する。【選択図】図１
2012156721.tif 000002
【特許請求の範囲】
【請求項１】
外付けの電話機を接続するための接続手段と、前記接続手段を介して前記電話機を回線へ接続した接続状態及び切断した切断状態を切り替える切替手段と、前記電話機のオフフックを検知する検知手段と、前記電話機と並列に前記回線に接続され、前記回線の捕捉状態を制御する網制御手段とを備える通信装置であって、
前記切断状態において、前記検知手段によって前記電話機のオフフックが検知されると、前記回線に接続された前記網制御手段のインピーダンスを、前記電話機側よりも低いインピーダンスに設定し、前記網制御手段による前記回線の捕捉を開始するよう制御する捕捉制御手段と、
前記網制御手段による前記回線の捕捉の開始後、当該捕捉の終了タイミングよりも前に、前記切替手段を前記切断状態から前記接続状態に切り替えることにより、前記電話機を前記回線に接続するよう制御する接続制御手段と、
前記終了タイミングにおいて、前記網制御手段による前記回線の捕捉状態を解放する回線解放手段と、
を備え、
前記終了タイミングは、前記検知手段によって前記電話機のオフフックが検知されるタイミングから、宛先のダイヤル番号を示す選択信号の送信が前記電話機によって開始されるタイミングまでの期間内のタイミングに設定されること
を特徴とする通信装置。
【請求項２】
前記捕捉制御手段は、さらに、
前記電話機が前記回線に接続された後、前記終了タイミングよりも前に、前記網制御手段のインピーダンスを、前記電話機が前記回線に接続される前のインピーダンスよりも高いインピーダンスに変更するよう前記網制御手段を制御すること
を特徴とする請求項１に記載の通信装置。
【請求項３】
前記検知手段によって前記電話機のオフフックが検知されてから、前記電話機によって前記選択信号の送信が開始されるまでの時間を予め計測する計測手段と、
前記網制御手段による前記回線の捕捉を開始してから終了するまでの時間長である回線捕捉時間を、前記計測手段によって計測された計測値よりも短い時間に決定する決定手段と、
前記網制御手段による前記回線の捕捉が開始されたタイミングから、前記決定手段によって決定された前記回線捕捉時間が経過するタイミングを、前記終了タイミングとして設定する設定手段と、
をさらに備えることを特徴とする請求項２に記載の通信装置。
【請求項４】
前記計測手段は、前記検知手段によって前記電話機のオフフックが検知されてから、前記電話機によって前記選択信号の送信が開始されるまでの時間を、複数回にわたって計測し、
前記決定手段は、前記計測手段によって計測された複数の計測値の何れよりも短い時間に、前記回線捕捉時間を決定すること
を特徴とする請求項３に記載の通信装置。
【請求項５】
前記網制御手段による前記回線の捕捉を開始してから終了するまでの時間長である回線捕捉時間を、前記電話機がオフフックを行ってから前記選択信号の送信を開始するまでに要する時間よりも短い時間として予め入力する入力手段と、
前記網制御手段による前記回線の捕捉が開始されたタイミングから、前記入力手段によって入力された前記回線捕捉時間が経過するタイミングを、前記終了タイミングとして設定する設定手段と、
をさらに備えることを特徴とする請求項２に記載の通信装置。
【請求項６】
前記捕捉制御手段は、
前記回線捕捉時間が予め定められた閾値以上であるか否かを判定する判定手段を備え、
前記回線捕捉時間が前記予め定められた閾値以上であると判定された場合には、前記電話機が前記回線に接続された後、前記終了タイミングよりも前に、前記網制御手段のインピーダンスを、前記電話機が前記回線に接続される前のインピーダンスよりも高いインピーダンスに変更するよう前記網制御手段を制御する一方で、
前記回線捕捉時間が前記予め定められた閾値未満であると判定された場合には、前記網制御手段のインピーダンスを変更せずに前記回線の捕捉を継続するよう前記網制御手段を制御すること
を特徴とする請求項３乃至５の何れか１項に記載の通信装置。
【請求項７】
前記選択信号は、前記電話機の自動発呼機能により、前記電話機からオフフックに応じて自動的に前記回線を介して送信されることを特徴とする請求項１乃至６の何れか１項に記載の通信装置。
【請求項８】
前記網制御手段は、それぞれ異なるインピーダンスの複数の回線捕捉手段を備え、
前記捕捉制御手段は、前記複数の回線捕捉手段のうち、設定すべきインピーダンスに対応する回線捕捉手段を使用するよう前記網制御手段を制御すること
を特徴とする請求項１乃至７の何れか１項に記載の通信装置。
【請求項９】
外付けの電話機を接続するための接続手段と、前記接続手段を介して前記電話機を回線へ接続した接続状態及び切断した切断状態を切り替える切替手段と、前記電話機のオフフックを検知する検知手段と、前記電話機と並列に前記回線に接続され、前記回線の捕捉状態を制御する網制御手段とを備える通信装置の制御方法であって、
捕捉制御手段が、前記切断状態において、前記検知手段によって前記電話機のオフフックが検知されると、前記回線に接続された前記網制御手段のインピーダンスを、前記電話機側よりも低いインピーダンスに設定し、前記網制御手段による前記回線の捕捉を開始するよう制御する捕捉制御工程と、
接続制御手段が、前記網制御手段による前記回線の捕捉の開始後、当該捕捉の終了タイミングよりも前に、前記切替手段を前記切断状態から前記接続状態に切り替えることにより、前記電話機を前記回線に接続するよう制御する接続制御工程と、
回線解放手段が、前記終了タイミングにおいて、前記網制御手段による前記回線の捕捉状態を解放する回線解放工程と、
を含み、
前記終了タイミングは、前記検知手段によって前記電話機のオフフックが検知されるタイミングから、宛先のダイヤル番号を示す選択信号の送信が前記電話機によって開始されるタイミングまでの期間内のタイミングに設定されること
を特徴とする通信装置の制御方法。
【発明の詳細な説明】
【技術分野】
【０００１】
本発明は、通信装置及びその制御方法に関するものである。
【背景技術】
【０００２】
従来より、ファクシミリ装置に代表されるような通信装置では、電話回線等の通信回線に対して、ファクシミリ通信用のファクシミリ通信部（モデム）だけでなく、通話用の電話機をも接続可能な通信装置が存在している。例えば、特許文献１では、データ通信を行うデータ通信部と通話を行う電話機とを通信回線に接続可能なファクシミリ装置が開示されている。このファクシミリ装置では、データ通信部から電話機に切り替えて通信回線に接続する際に、データ通信部と電話機とを通信回線に並列接続することによって、電話機に回線電流を供給する。これにより、接続の切り替え前に、電話機を通話可能な状態にすることができる。
【０００３】
このようなファクシミリ装置は、ＰＢＸに接続される場合もあるが、多くの場合、公衆回線網（ＰＳＴＮ）に接続される。ＰＳＴＮに接続されるファクシミリ装置やＰＳＴＮ側の交換機として導入される装置は、所定の技術基準に適合するように、厳しい管理が行われている。
【０００４】
一方で、近年では、ＤＳＬ回線や光回線等の広帯域な伝送路を有するＩＰネットワークを使用して音声データを送受信する、ＶｏＩＰ（ボイス・オーバ・インターネット・プロトコル）と称される技術が普及しつつある。上述のようなＰＳＴＮ用のファクシミリ装置をＩＰネットワークに対して接続するとともに、ファクシミリ装置に接続された電話機により、ＶｏＩＰを使用して音声通信を行う場合、以下の点が想定される。例えば、ファクシミリ装置から出力される音声信号を、ＩＰネットワークに適合した形式の信号に変換するインタフェースとして機能するアダプタが必要となる。このようなアダプタは、一般に、入力される音声信号をＩＰネットワークへ送信するだけでなく、入力されるダイヤルパルス信号を検知して、通信先を特定する。
【先行技術文献】
【特許文献】
【０００５】
【特許文献１】特開平０５−００７２７３号公報
【発明の概要】
【発明が解決しようとする課題】
【０００６】
ファクシミリ装置のような通信装置に接続されるアダプタは、ＰＳＴＮに接続されることがないため、ＰＳＴＮに接続するために必要とされる所定の技術基準を満たす必要はない。そのため、このようなアダプタでは、ＰＳＴＮ用の基準によれば正規のダイヤルパルス信号として検知され得ないレベルの、短い時間幅かつ微小な電流又は電圧の変化を、ダイヤルパルス信号として誤検知してしまうおそれがある。例えば、通信装置において、装置内部のリレーの切り替えや外付けされた電話機のオフフック操作に起因して生じる、非常に短い時間幅かつ微小な電流又は電圧の変化が、アダプタにおいてダイヤルパルス信号（選択信号）として誤検知されてしまうおそれがある。その結果、電話機からのダイヤルパルス信号に基づいて、正しい宛先にダイヤルできなくなる。
【０００７】
本発明は、上述の問題に鑑みてなされたものであり、通信装置において、外付けされた電話機を通信回線に接続する際に、通信回線に生じる電流及び電圧の急激な変化を低減する技術を提供することを目的としている。また、外付けの電話機が、オフフックしてから比較的短時間に選択信号を送信する場合にも、そのような電流及び電圧の急激な変化を低減する技術を提供することを目的としている。
【課題を解決するための手段】
【０００８】
本発明は、例えば、通信装置として実現できる。通信装置は、外付けの電話機を接続するための接続手段と、接続手段を介して電話機を回線へ接続した接続状態及び切断した切断状態を切り替える切替手段と、電話機のオフフックを検知する検知手段と、電話機と並列に回線に接続され、回線の捕捉状態を制御する網制御手段とを備える通信装置であって、切断状態において、検知手段によって電話機のオフフックが検知されると、回線に接続された網制御手段のインピーダンスを、電話機側よりも低いインピーダンスに設定し、網制御手段による回線の捕捉を開始するよう制御する捕捉制御手段と、網制御手段による回線の捕捉の開始後、当該捕捉の終了タイミングよりも前に、切替手段を切断状態から接続状態に切り替えることにより、電話機を回線に接続するよう制御する接続制御手段と、終了タイミングにおいて、網制御手段による回線の捕捉状態を解放する回線解放手段と、を備え、終了タイミングは、検知手段によって電話機のオフフックが検知されるタイミングから、宛先のダイヤル番号を示す選択信号の送信が電話機によって開始されるタイミングまでの期間内のタイミングに設定されることを特徴とする。
【発明の効果】
【０００９】
本発明によれば、通信装置において、外付けされた電話機を通信回線に接続する際に、通信回線に生じる電流及び電圧の急激な変化を低減する技術を提供できる。また、外付けの電話機が、オフフックしてから比較的短時間に選択信号を送信する場合にも、そのような電流及び電圧の急激な変化を低減する技術を提供できる。
【図面の簡単な説明】
【００１０】
【図１】本発明の実施形態に係るファクシミリ装置１００のブロック構成例を示す図である。
【図２】本発明の実施形態に係るファクシミリ装置１００における、ＳＤＡＡ１０４による回線捕捉時間Ｔcを計測モードによって決定する動作の手順を示すフローチャートである。
【図３】本発明の実施形態に係るファクシミリ装置１００における、電話機１２８を回線に接続する動作の手順を示すフローチャートである。
【図４】本発明の実施形態に係るファクシミリ装置１００が電話機１２８を回線を接続する際に、ＳＤＡＡ１０４による１段階の回線捕捉制御を行う場合の動作のタイミングを示すタイミングチャートである。
【図５】本発明の実施形態に係るファクシミリ装置１００が電話機１２８を回線を接続する際に、ＳＤＡＡ１０４による２段階の回線捕捉制御を行う場合の動作のタイミングを示すタイミングチャートである。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
＜ファクシミリ装置１００の構成＞
まず、図１を参照して、本発明の実施形態に係る通信装置（ここでは、ファクシミリ装置を例に説明する。）１００のブロック構成について説明する。システム・オン・チップ（ＳＯＣ）１０１は、ファクシミリ装置１００のシステム全体を制御する。ファクシミリ装置１００におけるＣＰＵ（図示せず）は、ＳＯＣ１０１上に実装されている。ＳＯＣ１０１に接続されたメモリ１４０は、主記憶装置であり、ＳＯＣ１０１のＣＰＵのシステムワークメモリ、図２及び図３に示す処理等を実行するための制御プログラムを格納するメモリとして機能する。また、メモリ１４０は、ファクシミリ送信又はファクシミリ受信等の際に、画像データや各種情報を一時的に記憶するためのメモリとしても機能する。
【００１３】
ＳＯＣ１０１には、操作パネル１１８、読取部１２１、記録部１２２、インタフェース（ＩＦ）部１２３が接続されている。操作パネル１１８は、表示器１１９及びキーボード類１２０を備え、これらはユーザ・インタフェースとして機能する。表示器１１９は、装置の状態やメニューに関する表示を行う。また、キーボード類１２０は、ユーザからの各種の指示の入力を受け付けるボタンやテンキー等のキーボードである。読取部１２１は、原稿から画像を読み取って、画像データを生成する。生成された画像データは、通信回線１３０を介して相手側装置に対してファクシミリ送信されてもよいし、記録部１２２に送られて、用紙に対する画像の印刷（記録）のために使用されてもよい。インタフェース（ＩＦ）部１２３は、各種の情報機器が外部から接続される場合のインタフェースとして機能する。
【００１４】
モデム１０２は、ＳＯＣ１０１に接続されており、ＳＯＣ１０１による制御に基づいて動作する変復調器である。モデム１０２は、ファクシミリ送信の対象となる、読取部１２１で読み取られた画像データを用いた変調処理と、通信回線１３０を介して受信した信号の復調処理とを行う。モデム１０２は、絶縁素子１０３を介してＳＤＡＡ（シリコンＤＡＡ）１０４と接続されている。
【００１５】
ＳＤＡＡ１０４は、網制御手段の一例であって、半導体ＮＣＵ（ネットワーク制御ユニット）である。ここで、ファクシミリ装置１００は、外付けの電話機１２８が接続される接続端子１２９と、通信回線１３０が接続される接続端子１３１とを備える。ＳＤＡＡ１０４は、接続端子１３１を介して外部の公衆回線（通信回線）１３０と接続されており、ファクシミリ装置１００と通信回線１３０とのインタフェースとして機能する網制御装置である。
【００１６】
ＳＤＡＡ１０４は、通信回線１３０を介して相手側装置との間で通信を行う際に、回線の接続（捕捉）状態を制御する。通信回線１３０には、接続端子１２９を介してファクシミリ装置１００に外付けされた電話機１２８も接続される。電話機１２８は、接続端子１２９、Ｈリレー１１０を介して通信回線１３０に接続されており、ＳＤＡＡ１０４は、電話機１２８と並列に通信回線１３０に接続されている。ＳＤＡＡ１０４は、ファクシミリ送受信を行う場合に、回線を捕捉してその通信を制御するだけでなく、電話機１２８が通信回線１３０を介して相手側装置との間で音声通信を行う場合にも、回線の捕捉状態を制御する。ＳＤＡＡ１０４は、これらの制御をＳＯＣ１０１の制御に基づいて実行する。
【００１７】
図１に示すように、ＳＤＡＡ１０４は、回線の捕捉状態を制御する際に、異なる複数のインピーダンスのＤＣ特性を実現できるように、インピーダンス可変の回線捕捉部１０５を備える。ＳＤＡＡ１０４は、ＳＯＣ１０１による制御に基づいて回線捕捉部１０５のインピーダンスを設定し、当該回線捕捉部１０５を使用して回線の捕捉状態を制御する。即ち、ＳＤＡＡ１０４は、ＳＯＣ１０１からのインピーダンス設定又は変更指示に応じて、当該回線捕捉部１０５のインピーダンスを時間的に変更して、回線の捕捉状態を制御する。回線捕捉部１０５のインピーダンスは、例えば、回線捕捉部１０５が有する、予め設定された直流電圧に対する電流特性（ＤＣ‐ＶＩ特性）を変更することによって変化させることが可能である。
【００１８】
なお、図１では、ＳＤＡＡ１０４が１つの回線捕捉部１０５を有する場合について示しているが、ＳＤＡＡ１０４は、それぞれ異なるインピーダンスの複数の回線捕捉部を備えていてもよい。この場合、ＳＯＣ１０１は、当該複数の回線捕捉部のうち、設定すべきインピーダンスに対応する回線捕捉部を使用するようＳＤＡＡ１０４を制御すればよい。これにより、上述と同様、ＳＤＡＡ１０４において、ＳＯＣ１０１による制御に基づいて設定されたインピーダンスで回線の捕捉状態を制御することが可能である。
【００１９】
本実施形態では、ＳＤＡＡ１０４の回線捕捉部１０５は、ＳＯＣ１０１による制御に基づいて、一例として、異なる３つのインピーダンス（第１、第２及び第３のインピーダンス）のＤＣ特性の何れかに設定され得る。ここで、第１のインピーダンス（Ｚ１）は、通信回線１３０から見た場合に、電話機側（電話機１２８側）よりも低く、例えば、２０ｍＡの電流に対して１５０Ω程度の低インピーダンスである。また、第２のインピーダンス（Ｚ２）は、第１のインピーダンスより高く、例えば、２０ｍＡの電流に対して６００Ω程度の高インピーダンスである。これら第１及び第２のインピーダンスは、後述するように、電話機１２８を通信回線を接続する際の回線捕捉に使用される。
【００２０】
また、回線捕捉部１０５は、ＳＤＡＡ１０４が通信回線１３０を介して相手側装置と通信を行う際には、第３のインピーダンス（Ｚ３）に設定され得る。この第３のインピーダンスは、通信に使用する場合に適したインピーダンスであり、第１のインピーダンスより高く、かつ、第２のインピーダンスより低いインピーダンスであればよい。第３のインピーダンスは、２０ｍＡの電流に対して３００Ω程度（中程度のインピーダンス）の、通信用に適した中程度のインピーダンスである。
【００２１】
ＣＩ（Call Indicator）検知回路１０８は、通信回線１３０に接続されており、通信回線から受信した呼び出し信号（以下では、「ＣＩ信号」と称する。）を検知する。ＣＩ検知回路１０８は、通信回線からのＣＩ信号を検知すると、そのことを示すＣＩ検知信号１０９をＳＯＣ１０１に対して送信する。ＳＯＣ１０１は、ＣＩ検知信号１０９に基づいて、通信回線からＣＩ信号の着信があったか否かを判断することができる。
【００２２】
Ｈリレー１１０は、フック検知回路１１７を介して接続される外付けの電話機１２８を、ＤＣ電源１１３及び通信回線１３０の何れかに接続するための回路である。ＤＣ電源１１３は、フック検知回路１１７に対して電力を供給するためのＤＣ電源である。Ｈリレー１１０は、切替手段の一例であり、外付けの電話機１２８を通信回線１３０へ接続した接続状態と、通信回線１３０から切断した切断状態との間の切り替えを行う。また、Ｈリレー１１０は、Ｈリレー駆動信号１１１を用いて、ＳＯＣ１０１によって制御される。なお、図１に示すように、Ｈリレー１１０によって、電話機１２８が通信回線１３０から切り離されている場合、ＣＩ信号の着信（ＣＩ着信）があったとしても電話機１２８は鳴動しない。即ち、この場合、ファクシミリ装置１００は無鳴動着信状態である。
【００２３】
フック検知回路１１７は、検知手段の一例であり、電話機１２８と接続されており、電話機１２８のオフフック又はオンフックを検知する回路である。フック検知回路１１７は、電話機１２８のオフフック又はオンフックの検知結果を、フック検知信号１１４を用いてＳＯＣ１０１へ伝達する。ＳＯＣ１０１は、フック検知信号１１４に基づいて、電話機１２８におけるフックの状態を判定することができる。フック検知回路１１７は、Ｈリレー１１０によって、通信回線１３０に直接接続された場合、及びＤＣ電源１１３に接続された場合の何れも、電話機１２８に流れる電流を検知する。これによって、電話機１２８におけるオフフック又はオンフックの状態を検知する。
【００２４】
擬似ＣＩ送出回路１１６は、擬似ＣＩ信号を電話機１２８に対して送出する回路である。疑似ＣＩ信号とは、通信回線１３０を介して相手側装置からのＣＩ着信があった場合に、回線から切断された状態にある電話機１２８を鳴動させるために、電話機１２８に対して送られる信号である。擬似ＣＩ送出回路１１６は、ＳＯＣ１０１からの擬似ＣＩ駆動信号１１５による送出指示に応じて、擬似ＣＩ信号を電話機１２８に対して送出する。
【００２５】
ファクシミリ装置１００は、通信回線１３０を介してＶｏＩＰアダプタ１２４と接続されている。ＶｏＩＰアダプタ１２４は、３００〜３４００Ｈｚの音声帯域周波数のファクシミリ又は電話機の送信信号に対して、ＰＣＭ符号化等を施すとともに、ＳＩＰ等のプロトコルを用いてＩＰネットワークへ送信する。ＶｏＩＰアダプタ１２４からの出力信号は、一例として、ブロードバンドルータ１２５及び回線終端装置１２６を介して、光回線網１２７のＩＰネットワークに対して送信される。一方で、ＶｏＩＰアダプタ１２４は、光回線網１２７から受信した信号を、３００〜３４００Ｈｚの音声帯域周波数のファクシミリ又は電話機の信号に変換する。さらに、当該信号を通信回線１３０を介してファクシミリ装置１００へ送信する。また、ＶｏＩＰアダプタ１２４は、入力された信号からダイヤルパルスを認識し、又はファクシミリ装置１００に外付けされた電話機１２８におけるフッキング等を認識する機能を有する。
【００２６】
接続端子１２９を介してファクシミリ装置１００に外付けされた電話機１２８は、自動発呼機能を備えている。自動発呼機能とは、電話機１２８が、ワンタッチダイヤルや短縮ダイヤル等により、予め設定された宛先（発呼先）に自動的に発呼する機能をいう。電話機１２８は、自動発呼機能を実行する場合、オフフックに応じて自動的に、宛先のダイヤル番号を示す選択信号を、ファクシミリ装置１００を介して通信回線１３０上に送信する。選択信号は、ダイヤルパルス（ＤＰ）信号又はＤＴＭＦ（Dual-Tone Multi-Frequency）信号である。
【００２７】
＜ファクシミリ装置１００の動作の概要＞
ファクシミリ装置１００は、各種の動作モードを有する。例えば、ファクシミリ装置１００は、無鳴動着信モード、及びＦ／Ｔモード（ＦＡＸ／ＴＥＬ切替モード）を動作モードとして有し、何れの動作モードにおいても、電話機１２８はＨリレー１１０によって予め回線から切断された状態にある。ここで、無鳴動着信モードは、ＣＩ信号の着信がＣＩ検知回路１０８で検知された際に、ＣＩ信号によって電話機１２８が鳴動させることなくファクシミリ受信を可能にする動作モードである。また、Ｆ／Ｔモードは、ＣＩ信号の着信がＣＩ検知回路１０８で検知された際に、発信先が電話であるかファクシミリであるかをＳＯＣ１０１で判定する動作モードである。当該モードにおいてＳＯＣ１０１は、発信先が電話である場合には電話機１２８を鳴動させ、ファクシミリである場合にはファクシミリ受信を行う制御を実行する。本実施形態は、これらの動作モードのうち、特に無鳴動着信モードと関連するため、以下では、ファクシミリ装置１００が無鳴動着信モードで動作している場合を中心として説明する。
【００２８】
無鳴動着信モードにおいては、ファクシミリ装置１００は、電話機１２８のオフフックを検知すると、通信回線１３０から切断された状態にある電話機１２８を、Ｈリレー１１０の切り替えによって通信回線１３０に接続する。これにより、ユーザに対して電話機１２８を用いた通話機能を提供する。ところが、Ｈリレー１１０を切り替える際には、通信回線１３０から見たファクシミリ装置１００のインピーダンスが、一時的に不安定になる可能性がある。例えば、当該インピーダンスが、低インピーダンスとなった後に、高インピーダンスへ短時間のうちに変化する可能性がある。これにより通信回線１３０に電流及び電圧の変化が生じる結果、通信回線１３０に接続されたＶｏＩＰアダプタ１２４が当該電流及び電圧の変化をダイヤルパルスと誤認識するおそれがある。例えば、当該インピーダンスが、低インピーダンスとなって回線が捕捉された後に、高インピーダンスへ変化し、再び低インピーダンスへ戻ると、ＶｏＩＰアダプタ１２４はこれをダイヤルパルス“１”と誤認識してしまう。その場合、ＳＤＡＡ１０４による回線捕捉の後に、ユーザがダイヤルパルス信号を電話機１２８から入力すると、先頭に“１”が付加されたダイヤルパルス信号としてＶｏＩＰアダプタ１２４に認識され、誤った電話番号へ回線が接続されることになる。
【００２９】
この問題に対処するために、本実施形態に係るファクシミリ装置１００は、外付けの電話機１２８を通信回線１３０に接続する際に、上述のような当該通信回線に生じる電流及び電圧の急激な変化を低減するために、以下の動作を実行する。具体的には、ＳＤＡＡ１０４は、Ｈリレー１１０を切り替える（電話機１２８を通信回線１３０に接続する）前に、回線捕捉部１０５のインピーダンスを、通信回線１３０から見て電話機１２８側よりも低いインピーダンスのＤＣ特性に設定して回線捕捉を行う。これにより、回線捕捉中に、通信回線１３０から見たインピーダンスが高インピーダンスに変化しないようにする。その後、Ｈリレー１１０を切り替えて、電話機１２８を通信回線１３０に接続した後に、ＳＤＡＡ１０４による回線の捕捉状態を解放する。これにより、通信回線１３０上の回線電流の全てが電話機１２８側へ流れることになり、電話機１２８が回線に接続される。
【００３０】
さらに、本実施形態に係るファクシミリ装置１００では、電話機１２８が自動発呼機能を備える場合、上述の動作に起因した問題が生じる可能性がある。具体的には、電話機１２８から自動発呼機能により送信される選択信号（ＤＰ信号又はＤＴＭＦ信号）が、通信回線１３０に出力されずにファクシミリ装置１００内で消失してしまい、電話機１２８からの発呼が正常に行われなくなる可能性がある。
【００３１】
電話機１２８は、自動発呼機能により発呼する場合、自動的にオフフックを行うとともに、予め設定された選択信号の送信を自動的に開始する。オフフックを行ってから選択信号を送信するまでの所要時間は、電話機によって異なり、電話機によっては非常に短いことが知られている。即ち、電話機１２８は、自動発呼機能を使用する場合には、オフフックを行ってから比較的短時間に選択信号を送信する可能性がある。電話機１２８から送信された選択信号は、接続端子１２９を介してファクシミリ装置１００に入力される。このとき、ファクシミリ装置１００内で上述のようにＳＤＡＡ１０４が回線捕捉を行っており、電話機１２８がＨリレー１１０によって通信回線１３０から切断された状態であると、選択信号が通信回線１３０に送られずに消失してしまう。このように、ＳＤＡＡ１０４による回線捕捉制御のタイミングと選択信号の送信タイミングとが重なると、電話機１２８からの選択信号がファクシミリ装置１００内で消失するおそれがある。この場合、通信回線１３０に選択信号が送信されず、電話機１２８が自動発呼機能により正常に発呼することができなくなる。
【００３２】
本実施形態に係るファクシミリ装置１００は、上述の問題に対処するために、通信回線１３０へ電話機１２８を接続する際にＳＤＡＡ１０４による回線捕捉制御を行う場合に、電話機１２８から選択信号の送信が開始される前に、当該回線捕捉制御を完了させる。これにより、ファクシミリ装置１００は、通信回線１３０へ電話機１２８を接続する際にＳＤＡＡ１０４による回線捕捉を行う場合にも、電話機１２８が自動発呼機能により正常に発呼することを可能にする。ファクシミリ装置１００では、後述するように、回線捕捉制御の終了タイミングは、ＳＤＡＡ１０４による回線捕捉制御を行う時間長として予め決定される回線捕捉時間Ｔcに基づいて設定される。なお、回線捕捉時間Ｔcは、例えば、操作パネル１１８から入力された情報に基づいて、又は、電話機１２８がオフフックを行ってから選択信号の送信が開始されるまでの時間について、予め測定して得られた計測値に基づいて、決定され得る。
【００３３】
ＳＤＡＡ１０４による回線捕捉制御が完了すると、通信回線１３０上の回線電流の全てが電話機１２８側へ流れ始める。その際にも、電話機１２８によっては、インピーダンスが一時的に不安定になる場合がある。この場合、上述と同様、通信回線１３０に電流及び電流の変化が生じ、上述と同様、当該変化に起因してＶｏＩＰアダプタ１２４が誤動作するおそれがある。
【００３４】
これに対して、ファクシミリ装置１００は、電話機１２８を通信回線１３０に接続した（Ｈリレー１１０を切り替えた）後、ＳＤＡＡ１０４の回線捕捉状態を解放する前に、ＳＤＡＡ１０４のインピーダンスをより高いインピーダンスに変更してもよい。例えば、ＳＤＡＡ１０４は、Ｈリレー１１０の切り替え前に、第１のインピーダンス（Ｚ１）で回線捕捉を行っている場合には、第１のインピーダンス（Ｚ１）より高い第２のインピーダンス（Ｚ２）に変更してもよい。ファクシミリ装置１００は、その後に回線を解放することによって、電話機１２８へ流れ込む電流量が、徐々に（段階的に）増加するように制御する。即ち、ＳＤＡＡ１０４は、２つインピーダンスＺ１，Ｚ２を用いた２段階の回線捕捉制御を行ってもよい。これにより、電話機１２８側のインピーダンスが不安定となることを防止できるとともに、ファクシミリ装置１００に接続されるＶｏＩＰアダプタ１２４においてダイヤルパルスの誤認識を防止することが可能である。
【００３５】
ただし、ＳＤＡＡ１０４において、このような２段階の回線捕捉制御を行うためには、ＳＤＡＡ１０４による回線捕捉制御を実行可能な回線捕捉時間Ｔcが十分に確保されている必要がある。この回線捕捉時間Ｔcは、電話機１２８がオフフックを行ってから選択信号の送信が開始されるまでに要する時間Ｔmよりも短い必要がある。このため、２段階の回線捕捉制御を行うために十分な回線捕捉時間Ｔcを確保できない場合には、ＳＤＡＡ１０４はインピーダンスを回線捕捉制御中に変更することなく、１段階の回線捕捉制御を行えばよい。
【００３６】
＜回線捕捉時間Ｔcの決定手順＞
以下では、本実施形態に係るファクシミリ装置１００の動作について、より詳細に説明する。上述のようなＳＤＡＡ１０４による回線捕捉制御を行うためには、ＳＤＡＡ１０４による回線捕捉時間Ｔcを予め決定しておく必要がある。回線捕捉時間Ｔcは、ＳＤＡＡ１０４による回線捕捉を開始してから終了するまでの時間長（ＳＤＡＡ１０４による回線捕捉制御を行う時間長）に相当する。オフフックされた電話機１２８を通信回線１３０に接続する際には、予め決定された回線捕捉時間Ｔcに基づいて、ＳＤＡＡ１０４による回線捕捉制御の終了タイミングが設定される。回線捕捉時間Ｔcは、以下のように、計測モード又は手動モードにより決定可能である。なお、何れのモードを使用するかについては、操作パネル１１８を介してユーザが予め指定できるようにすればよい。
【００３７】
（計測モードの場合）
図２を参照して、ファクシミリ装置１００における、ＳＤＡＡ１０４による回線捕捉時間Ｔcを計測モードによって決定する動作の手順について説明する。図２のフローチャートは、ＳＯＣ１０１のＣＰＵがメモリ１４０内のプログラムを実行することによって実現される。ファクシミリ装置１００は、計測モードの場合、電話機１２８のオフフックを検知してから、電話機１２８からの選択信号の送信が開始されるまでの時間を計測する。さらに、ファクシミリ装置１００は、得られた計測値Ｔmに基づいて、回線捕捉時間Ｔcを決定する。以下で説明する計測モードは、例えば、電話機１２８がファクシミリ装置１００に外付けで接続された際の初期設定時に実行されてもよいし、電話機１２８がファクシミリ装置１００に接続された後に、任意のタイミングに実行されてもよい。あるいは、操作パネル１１８を介したユーザの操作に従って実行されてもよい。
【００３８】
計測モードでは、まず、Ｓ１０１で、ＳＯＣ１０１は、Ｈリレー駆動信号１１１を用いてＨリレー１１０を制御して、電話機１２８を通信回線１３０から切り離す。これにより、図１に示すように、Ｈリレー１１０は、ＤＣ電源１１３をフック検知回路１１７に接続した状態に切り替わる。フック検知回路１１７は、ＤＣ電源１１３から供給される電力を用いて、電話機１２８のオフフックを検知可能となる。
【００３９】
次に、ユーザの直接の操作又はファクシミリ装置１００から送られる指示に応じて、電話機１２８が、自動発呼機能による発呼（オフフック及び選択信号の送信）を試験的に実行する。Ｓ１０２で、ＳＯＣ１０１は、フック検知回路１１７によって電話機１２８のオフフックが検知されたか否かを判定する。フック検知回路１１７は、電話機１２８のオフフックを検知すると、そのことを示すフック検知信号１１４をＳＯＣ１０１に送信する。ＳＯＣ１０１は、フック検知信号１１４に基づいて、電話機１２８のオフフックが検知されていないと判定した場合には、Ｓ１０２の判定処理を繰り返す。一方で、ＳＯＣ１０１は、当該オフフックが検知されたと判定した場合、処理をＳ１０３へ進める。
【００４０】
Ｓ１０３で、ＳＯＣ１０１は、Ｓ１０１におけるオフフックの検知に応じてタイマをスタートさせて、計時を開始する。さらに、Ｓ１０４で、ＳＯＣ１０１は、Ｈリレー駆動信号１１１を用いてＨリレー１１０を制御して、電話機１２８を通信回線１３０に接続するように、Ｈリレー１１０の切替処理を行う。その後、Ｓ１０５で、ＳＯＣ１０１は、電話機１２８から送信された選択信号（ＤＰ信号又はＤＴＭＦ信号）を検知したか否かを判定する。ここで、ＳＯＣ１０１は、選択信号を検知していないと判定した場合には、Ｓ１０５の判定処理を繰り返すことによって、選択信号を検知するまで待機する。ＳＯＣ１０１は、Ｓ１０５で、選択信号を検知すると、処理をＳ１０６に進める。Ｓ１０６で、ＳＯＣ１０１は、タイマをストップさせることによって、Ｓ１０３でタイマをスタートさせてからストップさせるまでの時間の計測値Ｔmを得る。この計測値Ｔmは、電話機１２８のオフフックが検知されてから、電話機１２８によって選択信号の送信が開始されるまでの時間の計測値に相当する。
【００４１】
Ｓ１０７で、ＳＯＣ１０１は、計測値Ｔmが、所定の基準値Ｔref以上であるか否かを判定する。この基準値Ｔrefは、ファクシミリ装置１００が電話機１２８を通信回線１３０に接続する際に実行する、ＳＤＡＡ１０４による１段階の回線捕捉制御を実行するために、最低限必要な時間として定められる。本実施形態では、一例として、基準値Ｔref＝４００［ｍｓ］とする。ここで、ＳＯＣ１０１は、計測値Ｔmが、基準値Ｔref以上であると判定した場合、処理をＳ１０８へ進める一方で、基準値Ｔref未満であると判定した場合、処理をＳ１０９へ進める。
【００４２】
Ｓ１０８で、ＳＯＣ１０１は、計測値Ｔmを用いて回線捕捉時間Ｔcを決定する。具体的には、ＳＯＣ１０１は、回線捕捉時間Ｔcを、計測値Ｔmよりも短い時間に決定する。これは、電話機１２８のオフフックが検知されるタイミングから、電話機１２８から選択信号の送信が開始されるタイミングまでの期間内に、ＳＤＡＡ１０４による回線捕捉制御を完了させるためである。また、回線捕捉時間Ｔcと計測値Ｔmとの差分は、電話機１２８のオフフックが検知されてから、ＳＤＡＡ１０４による回線捕捉制御が開始されるまでの遅延時間を考慮して定めることが望ましい。即ち、ＳＤＡＡ１０４による回線捕捉制御にある程度の時間的な余裕を与えるために、そのような遅延時間を考慮して、回線捕捉時間Ｔcを計測値Ｔmよりもある程度短くする必要があるであろう。例えば、計測値Ｔmから１００ｍｓ減算して得られた値を、回線捕捉時間Ｔcとして決定すればよい。ＳＯＣ１０１は、決定した回線捕捉時間Ｔcを、メモリ１４０等の記憶装置に保存する。
【００４３】
一方で、Ｓ１０９で、ＳＯＣ１０１は、ＳＤＡＡ１０４による回線捕捉制御を無効化する。即ち、電話機１２８が選択信号の送信を開始する前に、ＳＤＡＡ１０４による回線捕捉制御を実行するために十分な時間を確保できない場合には、ＳＯＣ１０１は、ＳＤＡＡ１０４による回線捕捉制御を行わず、電話機１２８を通信回線１３０に接続する。
【００４４】
Ｓ１０８で決定された回線捕捉時間Ｔcに基づいて、ＳＯＣ１０１は、ＳＤＡＡ１０４による回線捕捉制御の終了タイミングを設定することが可能である。ＳＯＣ１０１は、電話機１２８のオフフックが検知された後、ＳＤＡＡ１０４による回線捕捉を開始したタイミングから、回線捕捉時間Ｔcが経過するタイミングを、当該終了タイミングとして設定すればよい。なお、計測モードによる回線捕捉時間Ｔcの決定は、複数回の計測により得られた計測値に基づいて行われてもよい。その場合、回線捕捉時間Ｔcを、Ｓ１０１〜Ｓ１０６を複数回実行することによって得られた複数の計測値の何れよりも短い時間に決定すればよい。例えば、Ｓ１０１〜Ｓ１０６により計測値が得られるごとに、Ｓ１０８で、その計測値がそれまでに得られた計測値よりも値が小さい場合に、新たな回線捕捉時間Ｔcを決定し、メモリ１４０に保存されたデータを更新すればよい。このように、複数回の計測により得られた計測値に基づいて回線捕捉時間Ｔcを決定することによって、Ｔcをより適切な値に決定できるようになる。
【００４５】
（手動モードの場合）
手動モードでは、ユーザは、操作パネル１１８を介して回線捕捉時間Ｔcを予め入力することが可能である。ただし、回線捕捉時間Ｔcは、計測モードの場合と同様、電話機１２８がオフフックを行ってから選択信号の送信を開始するまでに要する時間（上述の計測値Ｔmに相当）よりも短い時間として入力される必要がある。ＳＯＣ１０１は、電話機１２８のオフフックが検知された際に、ＳＤＡＡ１０４による回線捕捉を開始したタイミングから、入力された回線捕捉時間Ｔcが経過するタイミングを、上述の終了タイミングとして設定すればよい。なお、この手動モードは、初期設定時等、任意のタイミングに実行可能である。また、ユーザが操作パネル１１８を介した操作に応じて入力可能な回線捕捉時間Ｔcの選択肢を予め用意しておき、ユーザにそれらの選択肢の何れかを選択させてもよい。例えば、３００ｍｓ、６００ｍｓ、及び１．６ｓを、回線捕捉時間Ｔcの選択肢として用意してもよい。
【００４６】
＜無鳴動着信モードにおける電話機１２８の回線接続手順＞
次に、図３を参照して、無鳴動着信モードで動作中のファクシミリ装置１００における、外付けの電話機１２８がオフフック状態となった場合に電話機１２８を回線に接続する動作の手順について説明する。図３のフローチャートは、ＳＯＣ１０１のＣＰＵがメモリ１４０内のプログラムを実行することによって実現される。また、図３と併せて、図４及び図５を参照して、各動作のタイミングについても説明する。図４は、ファクシミリ装置１００がＳＤＡＡ１０４による１段階の回線捕捉制御を行う場合、図５は、ファクシミリ装置１００がＳＤＡＡ１０４による２段階の回線捕捉制御を行う場合をそれぞれ示している。なお、図４（図５）では、電話機１２８の状態４０１（５０１）、ＳＤＡＡ１０４の状態４０２（５０２）、及びＨリレー１１０の状態４０３（５０３）を示している。
【００４７】
無鳴動着信モードにおいては、まず、Ｓ２０１で、ＳＯＣ１０１は、Ｓ１０１と同様、Ｈリレー駆動信号１１１を用いてＨリレー１１０を制御して、電話機１２８を通信回線１３０から切り離す。これにより、フック検知回路１１７は、ＤＣ電源１１３から供給される電力を用いて、電話機１２８のオフフックを検知可能となる。次に、Ｓ２０２で、ＳＯＣ１０１は、ＳＯＣ１０１は、フック検知回路１１７によって電話機１２８のオフフックが検知されたか否かを判定する。フック検知回路１１７は、電話機１２８のオフフックを検知すると（４１１，５１１）、そのことを示すフック検知信号１１４をＳＯＣ１０１に送信する。ＳＯＣ１０１は、フック検知信号１１４に基づいて、電話機１２８のオフフックが検知されていないと判定した場合には、Ｓ２０２の判定処理を繰り返す。一方で、ＳＯＣ１０１は、当該オフフックが検知されたと判定した場合、処理をＳ２０３へ進める。
【００４８】
ここで、電話機１２８は、図４（図５）のタイミング４１１（５１１）でオフフックを行った後、タイミング４１５（５１６）において選択信号の送信を開始する。従って、ファクシミリ装置１００では、タイミング４１１（５１１）からタイミング４１５（５１６）までの期間内に、ＳＤＡＡ１０４による回線捕捉制御を終了させる必要がある。
【００４９】
次に、Ｓ２０３で、ＳＯＣ１０１は、ＳＤＡＡ１０４による回線捕捉を実行するか否かを判定する。ここで、図２のＳ１０９においてＳＤＡＡ１０４による回線捕捉制御が無効化されている場合には、ＳＤＡＡ１０４による回線捕捉を実行しないと判定して、処理をＳ２１２に進める。この場合、Ｓ２１２で、ＳＯＣ１０１は、Ｈリレー駆動信号１１１を用いてＨリレー１１０を制御して、電話機１２８を通信回線１３０に接続するように、Ｈリレー１１０の切替処理を行う。即ち、電話機１２８を通信回線１３０に接続する前に、ＳＤＡＡ１０４による回線捕捉制御を実行することなく、電話機１２８の回線接続処理を完了させる。一方で、Ｓ２０３で、ＳＯＣ１０１は、ＳＤＡＡ１０４による回線捕捉を実行すると判定した場合、処理をＳ２０４へ進める。
【００５０】
Ｓ２０４で、ＳＯＣ１０１は、手動モード又は計測モードで決定された回線捕捉時間Ｔcが、予め定められた閾値以上（閾値Ｔth以上）であるか否かを判定する。ここで、ＳＯＣ１０１は、回線捕捉時間Ｔcが閾値Ｔth以上であると判定した場合、Ｓ２０７へ処理を進める一方で、回線捕捉時間Ｔcが閾値未満（閾値Ｔth未満）であると判定した場合、Ｓ２０５へ処理を進める。ここで、この閾値Ｔthは、ＳＤＡＡ１０４による２段階の回線捕捉制御を行うために最低限必要な時間として予め定められる。本実施形態では、一例として、閾値Ｔthは、予め８００ｍｓに定められている。回線捕捉時間Ｔcが閾値Ｔth未満である場合には、２段階の回線捕捉制御（Ｓ２０７〜Ｓ２０９）を行うには必要な時間が不足するため、１段階の回線捕捉制御（Ｓ２０５〜Ｓ２０６）が実行されることになる。
【００５１】
（１段階の回線捕捉制御の場合）
Ｓ２０５で、ＳＯＣ１０１は、ＳＤＡＡ１０４を制御して、ＳＤＡＡ１０４の回線捕捉部１０５のインピーダンスを、通信回線１３０に対して並列に接続された電話機１２８側の回路のインピーダンスよりも低い第１のインピーダンス（Ｚ１）に設定する。さらに、ＳＯＣ１０１は、Ｚ１に設定された回線捕捉部１０５を使用して回線の捕捉を開始するよう、ＳＤＡＡ１０４を制御する（４１２）。このとき、ＳＯＣ１０１は、ＳＤＡＡ１０４による回線捕捉制御の終了タイミングを、図４に示すように、タイミング４１２から回線捕捉時間Ｔcの経過後のタイミング４１４に設定する。その後、ＳＯＣ１０１は、処理をＳ２０６へ進める。なお、Ｓ２０５で、ＳＯＣ１０１は、捕捉制御手段の一例として機能する。
【００５２】
その後、一定時間が経過すると、Ｓ２０６で、ＳＯＣ１０１は、Ｈリレー駆動信号１１１によりＨリレー１１０を制御して、電話機１２８を通信回線１３０に接続するように、Ｈリレー１１０の切替処理を行う（４１３）。ここで、Ｓ２０６におけるＨリレー１１０の切替処理は、ＳＤＡＡ１０４による回線捕捉の開始後、当該捕捉の終了タイミング（４１４）よりも前に行われればよい。
【００５３】
これにより、通信回線１３０からの回線電流が電話機１２８に向かって流れ始める。しかし、上述のとおり、回線捕捉部１０５は、電話機１２８側よりも低いインピーダンス（Ｚ１）に設定されているため、回線電流の大部分は、Ｈリレー１１０側（電話機１２８側）ではなくＳＤＡＡ１０４側に流れることになる。このように、通信回線１３０からＨリレー１１０側へ流れる電流は、ＳＤＡＡ１０４側よりも非常に少ないため、Ｈリレー１１０の切り替えに伴う、電話機１２８側に流れる電流に急激な変化が生じることを防ぐことができる。なお、Ｓ２０６で、ＳＯＣ１０１は、接続制御手段の一例として機能する。その後、ＳＯＣ１０１は、２段階の回線捕捉制御の場合のＳ２０９のように回線捕捉部１０５のインピーダンスを変更させることはせず、回線捕捉を継続するとともに、Ｓ２１０へ処理を進める。
【００５４】
（２段階の回線捕捉制御の場合）
Ｓ２０７及びＳ２０８は、１段階の回線捕捉制御の場合のＳ２０５及びＳ２０６とそれぞれ同様である。Ｓ２０７で、ＳＯＣ１０１は、ＳＤＡＡ１０４の回線捕捉部１０５のインピーダンスをＺ１に設定し、当該回線捕捉部１０５を使用して回線の捕捉を開始するよう、ＳＤＡＡ１０４を制御する（５１２）。このとき、ＳＯＣ１０１は、ＳＤＡＡ１０４による回線捕捉制御の終了タイミングを、図５に示すように、タイミング５１２から回線捕捉時間Ｔcの経過後のタイミング５１５に設定する。Ｓ２０７の後、一定時間が経過すると、Ｓ２０８で、ＳＯＣ１０１は、Ｈリレー駆動信号１１１によりＨリレー１１０を制御して、電話機１２８を通信回線１３０に接続するように、Ｈリレー１１０の切替処理を行う（５１３）。Ｓ２０７及びＳ２０８で、ＳＯＣ１０１は、それぞれ接続制御手段及び捕捉制御手段の一例として機能する。その後、ＳＯＣ１０１は、処理をＳ２０９へ進める。
【００５５】
Ｓ２０９で、ＳＯＣ１０１は、ＳＤＡＡ１０４を制御して、ＳＤＡＡ１０４の回線捕捉部１０５のインピーダンスを、電話機１２８がＳ２０８で回線に接続される前の第１のインピーダンス（Ｚ１）よりも高い、第２のインピーダンス（Ｚ２）に変更させる（５１４）。ここで、Ｓ２０９における回線捕捉部１０５のインピーダンスの変更は、電話機１２８がＳ２０８で通信回線１３０に接続された（５１３）後、ＳＤＡＡ１０４による回線捕捉の終了タイミング（５１４）よりも前に行われればよい。
【００５６】
これにより、ＳＤＡＡ１０４は、インピーダンスがＺ２に変更された回線捕捉部１０５を使用して、回線捕捉を継続する。Ｓ２０９の後、ＳＯＣ１０１は、処理をＳ２１０へ進める。Ｓ２０９の処理によって、通信回線１３０に接続されたＳＤＡＡ１０４のインピーダンスが、電話機１２８側よりも高くなる。その結果、Ｈリレー１１０を介して電話機１２８へ流れる電流が、回線捕捉部１０５のインピーダンスの変更前よりも増加することになる。このように、ＳＤＡＡ１０４による２段階の回線捕捉制御によって、以下のＳ２１０で回線捕捉状態を解放する際に、通信回線１３０側から見た電話機１２８側の回路のインピーダンスが一時的に不安定になり、回線にノイズが生じることを防ぐことが可能となる。
【００５７】
（回線解放制御）
Ｓ２０６又はＳ２０９の後、Ｓ２１０で、ＳＯＣ１０１は、回線捕捉時間Ｔcに基づいて設定された終了タイミング（４１４，５１５）において、ＳＤＡＡ１０４を制御して、ＳＤＡＡ１０４による回線の捕捉状態を解放する。その結果、通信回線１３０からの回線電流が、全て電話機１２８へ流れ込むことになる。即ち、電話機１２８に流れる電流は、それまでよりさらに増加する。以上により、電話機１２８の通信回線１３０への接続が完了する。このように、電話機１２８を通信回線１３０へ接続する際のＳＤＡＡ１０４による回線捕捉制御は、電話機１２８から選択信号の送信が開始されるタイミング４１５（５１６）よりも前に、終了する。なお、Ｓ２１０において、ＳＯＣ１０１は、回線解放手段の一例として機能する。
【００５８】
以上のように、本実施形態によれば、ファクシミリ装置１００において、外付けの電話機１２８を回線に接続する際に、ＳＤＡＡ１０４による回線捕捉制御を行う。具体的には、ＳＤＡＡ１０４による回線捕捉制御は、まず、回線から切断された電話機１２８を回線に接続する前に、回線に接続されたＳＤＡＡ１０４のインピーダンスを、回線に並列に接続された電話機１２８側の回路よりも低いインピーダンスに設定して行われる。これにより、電話機１２８側の回路よりもＳＤＡＡ１０４に対して回線からの電流の大部分が流れ込む。その後、Ｈリレー１１０の切替処理により電話機１２８を回線に接続した後、ＳＤＡＡ１０４による回線捕捉状態を解放する。これにより、ＳＤＡＡ１０４が回線捕捉状態を解放して、回線からの全ての電流が電話機１２８へ流れ込む前に、Ｈリレー１１０の切替処理に起因して回線に生じる電流及び電圧の変化（雑音）を低減できる。
【００５９】
また、本実施形態によれば、ファクシミリ装置１００は、上述のＳＤＡＡ１０４による回線捕捉制御を、外付けの電話機１２８から選択信号が送信される前に完了させる。この電話機１２８は、自動発呼機能等を実行する場合には、オフフックのタイミングから短時間に選択信号の送信を開始する。本実施形態では、このような場合に、ＳＤＡＡ１０４による回線捕捉制御によって当該選択信号をファクシミリ装置１００内で消失させてしまうことなく、Ｈリレー１１０の切替処理に起因して回線に生じる上述の雑音を低減可能となる。
【００６０】
さらに、本実施形態によれば、電話機１２８のオフフックが検知されてから、電話機１２８から選択信号の送信が開始されるまでに、十分な時間を確保可能な場合には、ＳＤＡＡ１０４による２段階の回線捕捉制御を行ってもよい。この場合、上述のＨリレー１１０の切替処理の後、回線捕捉状態を解放する前に、ＳＤＡＡ１０４のインピーダンスを、当該切替処理前のインピーダンスより高いインピーダンスに一時的に変更する。これにより、回線から電話機１２８に流れ込む電流が、Ｈリレー１１０の切替処理前よりも増加する。その後、ＳＤＡＡ１０４が回線捕捉状態を解放すると、回線からの全ての電流が電話機１２８に流れ始める。このように、電話機１２８に流れ込む電流を徐々に（段階的に）増加させることによって、回線捕捉状態の解放に伴って回線に生じる雑音を低減することも可能となる。
【００６１】
なお、本実施形態では、上述の１段階及び２段階の回線捕捉制御は、図３に示したように、入力された、又は計測処理に基づいて決定された回線捕捉時間Ｔcと、２段階の回線捕捉制御を実行可能か否か判断するための所定の閾値との比較結果に応じて、選択的に実行されてもよい。これにより、外付けの電話機が、自動発呼機能等によってオフフックから比較的短時間に選択信号の送信を開始する場合に、回線捕捉時間Ｔcに応じて、適切な回線捕捉制御を自動的に選択し、かつ、電話機１２８を回線に接続する際に回線に生じる雑音を低減可能となる。
【００６２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2012156721.tif 000003
【図２】
2012156721.tif 000004
【図３】
2012156721.tif 000005
【図４】
2012156721.tif 000006
【図５】
2012156721.tif 000007